(57)【特許請求の範囲】
【請求項１】
表示窓を有する遊技盤と、図柄を表示する表示装置とを備え、前記表示装置の表示面が前記表示窓を通して前記遊技盤の前面側から視認可能な弾球遊技機において、
前記遊技盤の背面に対して略垂直に突出する脚と、該脚の先端から下向きに延出され前記遊技盤の背面側に嵌入隙間を形成する押さえ板とからなる複数の上係合爪を、前記遊技盤の背面側であって前記表示窓の上辺に沿って一列に間隔を開けて設け、
前記遊技盤の背面に対して略垂直に突出する脚と、該脚の先端から上向きに延出され前記遊技盤の背面側に嵌入隙間を形成する押さえ板とからなる複数の下係合爪を、前記遊技盤の背面側であって前記表示窓の下辺に沿って一列に間隔を開けて設け、
前記表示装置の表示面側に、前記上係合爪にて形成された嵌入隙間に嵌入可能で前記上係合爪同士の間隔よりも小さい幅の上係合突起を前記上係合爪と一対一の対応で複数個、前記下係合爪にて形成された嵌入隙間に嵌入可能で前記下係合爪同士の間隔よりも小さい幅の下係合突起を前記下係合爪と一対一の対応で複数個設け、
前記上係合爪と前記上係合突起とを前記上辺に沿って交互に位置させ前記下係合爪と前記下係合突起とを前記下辺に沿って交互に位置させた状態から、各前記上係合突起を各前記上係合爪の嵌入隙間に嵌入させ各前記下係合突起を各前記下係合爪の嵌入隙間に嵌入させるべく前記表示装置を水平移動させて、各前記上係合突起と各前記上係合爪とを係合させ各前記下係合突起と各前記下係合爪とを係合させることで、前記表示装置が前記遊技盤の背面側に取り付けられる
ことを特徴とする弾球遊技機。
【請求項２】
前記遊技盤の背面に対して略垂直に突出する脚と、該脚の先端から横向きに延出され前記遊技盤の背面側に嵌入隙間を形成する押さえ板とからなる横係合爪を、前記遊技盤の背面側であって前記表示窓の一側方に設け、
各前記上係合突起と各前記上係合爪とを係合させ各前記下係合突起と各前記下係合爪とを係合させると、前記横係合爪の嵌入隙間に嵌入して該横係合爪と係合する横係合突起を、前記表示装置の表示面側に設けた
ことを特徴とする請求項１に記載の弾球遊技機。
【請求項３】
前記表示装置の底面に、該表示装置に表示される前記図柄の画像データを記憶する画像記憶回路が取り付けられている
ことを特徴とする請求項１または２に記載の弾球遊技機。
【発明の詳細な説明】
【０００１】
【発明の属する技術分野】
本発明は、パチンコ機等の弾球遊技機における表示装置の取り付け構造に関する。
【０００２】
【従来の技術】
従来、例えばブラウン管や液晶盤等の電気的手段やドラム等の回転体によって図柄を表示する表示装置を備える弾球遊技機がある。普通、この種の弾球遊技機においては、遊技盤の中央部付近をくり抜いて窓状とし、表示装置は、ビスなどによって遊技盤の背面側に取り付けられ、その表示部をこの窓状の部分に露呈させていた。
【０００３】
表示装置は、弾球遊技機の使用に伴って故障することも皆無ではなかった。また、例えば遊技機メーカーから遊技店に向けての弾球遊技機の運搬は、トラックなどの自動車輸送がほとんどであるが、その輸送中の衝撃などにより表示装置が故障することもあった。そして、原因は何であれ、故障した表示装置を取り外して正常な表示装置と交換する等の処理が必要であった。
【０００４】
このような表示装置の交換などに際しては、従来の表示装置の取り付け構造では、例えば何本かのビスを緩めて表示装置を取り外し、次に修理した表示装置または新品の表示装置を据えてからビスを締めるといった手順が要求された。
【０００５】
【発明が解決しようとする課題】
しかし、弾球遊技機の背面側には各種の部品や配線類が複雑に配置されているので、わずか何本かのビスを緩めて再び締めるのもたやすい作業ではなかった。すなわち従来の表示装置の取り付け構造では、表示装置の着脱作業は容易とは言い難く、表示装置の着脱が一層容易な取り付け構造が求められていた。
【０００６】
本発明は、このような要求に応えるものである。
【０００７】
【課題を解決するための手段】
上記課題を解決するための手段として、請求項１記載の弾球遊技機は、
表示窓を有する遊技盤と、図柄を表示する表示装置とを備え、前記表示装置の表示面が前記表示窓を通して前記遊技盤の前面側から視認可能な弾球遊技機において、
前記遊技盤の背面に対して略垂直に突出する脚と、該脚の先端から下向きに延出され前記遊技盤の背面側に嵌入隙間を形成する押さえ板とからなる複数の上係合爪を、前記遊技盤の背面側であって前記表示窓の上辺に沿って一列に間隔を開けて設け、
前記遊技盤の背面に対して略垂直に突出する脚と、該脚の先端から上向きに延出され前記遊技盤の背面側に嵌入隙間を形成する押さえ板とからなる複数の下係合爪を、前記遊技盤の背面側であって前記表示窓の下辺に沿って一列に間隔を開けて設け、
前記表示装置の表示面側に、前記上係合爪にて形成された嵌入隙間に嵌入可能で前記上係合爪同士の間隔よりも小さい幅の上係合突起を前記上係合爪と一対一の対応で複数個、前記下係合爪にて形成された嵌入隙間に嵌入可能で前記下係合爪同士の間隔よりも小さい幅の下係合突起を前記下係合爪と一対一の対応で複数個設け、
前記上係合爪と前記上係合突起とを前記上辺に沿って交互に位置させ前記下係合爪と前記下係合突起とを前記下辺に沿って交互に位置させた状態から、各前記上係合突起を各前記上係合爪の嵌入隙間に嵌入させ各前記下係合突起を各前記下係合爪の嵌入隙間に嵌入させるべく前記表示装置を水平移動させて、各前記上係合突起と各前記上係合爪とを係合させ各前記下係合突起と各前記下係合爪とを係合させることで、前記表示装置が前記遊技盤の背面側に取り付けられる
ことを特徴とする。
【０００８】
この弾球遊技機においては、各上係合突起を各上係合爪の嵌入隙間に嵌入させ各下係合突起を各下係合爪の嵌入隙間に嵌入させて、各上係合突起と各上係合爪とを係合させ各下係合突起と各下係合爪とを係合させることで、表示装置が遊技盤の背面側に取り付けられるから、例えば何本ものビスを締めるような作業は不要であり、表示装置の取り付け作業は極めて簡単になる。
しかも、表示装置（上係合突起及び下係合突起）と遊技盤側（上係合爪及び下係合爪）とを位置合わせし、次に水平移動させるだけで取り付け作業が完了するから、作業手順は実に簡単である。また、取り付け時とは逆方向に水平移動させれば、それだけで表示装置を取り外すことができる。よって、着脱ともに簡単な操作で済むから、表示装置の保守、修理、交換等の作業がきわめて容易になる。
【０００９】
なお、表示装置を遊技盤に取り付けると言っても、遊技盤に直接取り付ける場合のみを言うわけではなく、例えば遊技盤に取り付け用の金具などを取り付けておいて、その金具に表示装置を取り付ける場合のように、間接的に取り付ける場合も含んでいる。
【００１０】
この取り付け構造を採用すれば表示装置の取り付けはきわめて容易になるから、弾球遊技機を遊技店内に据え付けてから表示装置を取り付けることも可能になる。つまり、弾球遊技機本体に比べれば衝撃等に弱い表示装置を、比較的乱雑に扱われがちな弾球遊技機本体とは別に、耐衝撃性の高い梱包荷姿で慎重に輸送し、遊技店において両者を組み合わせることができる。このようにすれば、輸送中に表示装置を破損するおそれはほとんどなくなる。これは、特にブラウン管を使用する場合には、破損防止にきわめて有効である。
【００１１】
請求項２記載の弾球遊技機は、
前記遊技盤の背面に対して略垂直に突出する脚と、該脚の先端から横向きに延出され前記遊技盤の背面側に嵌入隙間を形成する押さえ板とからなる横係合爪を、前記遊技盤の背面側であって前記表示窓の一側方に設け、
各前記上係合突起と各前記上係合爪とを係合させ各前記下係合突起と各前記下係合爪とを係合させると、前記横係合爪の嵌入隙間に嵌入して該横係合爪と係合する横係合突起を、前記表示装置の表示面側に設けた
ことを特徴とする請求項１に記載の弾球遊技機であるから、係合箇所が表示窓の一側方にも存在し、表示装置の取付がより安定する。
【００１４】
請求項３記載の弾球遊技機は、
前記表示装置の底面に、該表示装置に表示される前記図柄の画像データを記憶する画像記憶回路が取り付けられている
ことを特徴とする請求項１または２に記載の弾球遊技機である。
【００１５】
表示装置は電気を消費するので稼働に伴って装置温度が上昇するが、画像記憶回路は、表示装置の底面に取り付けられているので、表示装置からの放射は受けるものの対流による熱の伝導はほとんどない。また、底面自体が表示装置内の対流による温度上昇の影響を受けにくいので、画像記憶回路が表示装置から及ぼされる熱的な影響はきわめて小さいと言える。よって、画像記憶回路の熱による劣化は少なく、それによる故障の発生も防止される。
【００１６】
【発明の実施の形態】
次に、図面を参照して本発明の具体例を説明して発明の実施の形態の説明とする。
【００１７】
【具体例】
図１に示すように、本具体例の表示装置１０は、多数の放熱孔１２を有する金属製の筐体１４と表示部カバー１６とからなる収納体１８を備えている。この収納体１８の内部には、白黒のブラウン管（図示しない）が収容されている。このブラウン管の表示面を覆うようにして、ＲＧＢの３層構造の液晶盤２０が配置されており、液晶盤２０の表示面は表示部カバー１６の窓２２に臨んでいる。この表示装置１０では、ブラウン管の映像に同調させて液晶盤２０のＲＧＢを発光させる（このときブラウン管の光がバックライトになる）ことにより、カラー画像を表示するものである。
【００１８】
この表示装置１０は、例えば図８に示されるような弾球遊技機３０の背面側に装着される。詳しくは、遊技盤３２に設けられた表示窓３４を通して液晶盤２０の表示面が見えるように、遊技盤３２の背面側に取り付けられる。
しかし、図１に示される状態では遊技盤３２に取り付けるには十分ではなく、図２および図３に示すように、表示装置１０表示部カバー１６側にアタッチメント４０を装着する必要がある。なお、図２および図３においては、放熱孔１２の図示は省略されている。
【００１９】
図４、図５および図６に示すように、アタッチメント４０は、前面部４２、上弾性部４４、下弾性部４６、左弾性部４８および右弾性部５０の５部分からなっている。
図４に示すように、前面部４２には、表示装置１０の窓２２とほぼ寸法の窓５２が穿設されており、図２および図３に示されるようにアタッチメント４０を表示装置１０に装着した際には、窓２２と窓５２が整合する。
【００２０】
図４、図５、図６および図７に示すように、前面部４２の上縁部には３つの上係合突起５４ａ、５４ｂ、５４ｃが突出し、前面部４２の下縁部には上係合突起５４ａ〜５４ｃと対照に下係合突起５６ａ、５６ｂ、５６ｃが突出している。また、図４、図６および図７に示すように、前面部４２の右弾性部５０側には、４枚の右係合突起５８ａ、５８ｂ、５８ｃ、５８ｄが設けられている。
【００２１】
図２および図５に示すように、左弾性部４８および右弾性部５０は、階段状に折り曲げられており、図２に示されるように、その形状は表示装置１０の表示部カバー１６の段差と整合する。また、図６に示すように、右弾性部５０には３カ所のビス孔６０が設けられ、図示は省略するが左弾性部４８にも同様のビス孔が設けられており、これらビス孔６０を使用して表示装置１０にビス止めできる。
【００２２】
図３および図６に示すように、上弾性部４４および下弾性部４６は、階段状に折り曲げられており、図３に示されるように、その形状は表示装置１０の表示部カバー１６の段差と整合する。また、図５に示すように、上弾性部４４には３カ所のビス孔６２が設けられ、図示は省略するが下弾性部４６にも同様のビス孔が設けられており、これらビス孔６２を使用して表示装置１０にビス止めできる。
【００２３】
このようなアタッチメント４０を、表示部カバー１６を覆うようにして表示装置１０に装着し、ビス孔６０、６２をビス止めすれば、表示装置１０は遊技盤３２に装着可能となる。
図３に示すように、遊技盤３２の背面側には、表示装置１０の取り付けに際してアタッチメント４０と共同する固定プレート７０が固定されている。
【００２４】
図７に示すように、固定プレート７０はアタッチメント４０の窓５２とほぼ同寸法の窓７２を有する長方形の金属プレートで、窓７２の周囲には、上係合爪７４ａ、７４ｂ、７４ｃ、下係合爪７６ａ、７６ｂ、７６ｃ、右係合爪７８ａ、７８ｂ、７８ｃ、７８ｄが設けられている。
【００２５】
図３に示すように、上係合爪７４ｃおよび下係合爪７６ｃは固定プレート７０の面にほぼ垂直な脚と固定プレート７０の面にほぼ平行な押さえ板とからなるアングル状で脚を固定プレート７０に固着されている。そして、固定プレート７０の面と押さえ板との間隔は、上係合突起５４ｃ、下係合突起５６ｃの板厚とほぼ一致している。また、図示は省略しているが、上係合爪７４ａ、７４ｂ、下係合爪７６ａ、７６ｂ、右係合爪７８ａ〜７８ｄも、これら上係合爪７４ｃおよび下係合爪７６ｃと同様の構造である。
【００２６】
このため、上係合突起５４ａ〜５４ｃは上係合爪７４ａ〜７４ｃの内側（固定プレート７０側）に嵌入、係合可能であり、下係合突起５６ａ〜５６ｃは下係合爪７６ａ〜７６ｃの内側（固定プレート７０側）に嵌入、係合可能であり、右係合突起５８ａ〜５８ｄは右係合爪７８ａ〜７８ｄの内側（固定プレート７０側）に嵌入、係合可能である。
【００２７】
固定プレート７０には、下係合爪７６ａ〜７６ｃの下方に、サポートプレート８０が固着されている。このサポートプレート８０は、図示のように表示装置１０が遊技盤３２に取り付けられた際に、表示装置１０の荷重を支承するための部材である。
【００２８】
図３に示すように、表示装置１０の底面１５にはブラケット１７が設けられており、それらブラケット１７を介して画像記憶回路１９が取り付けられている。この画像記憶回路１９は、弾球遊技において例えば始動入賞口（図示略）に入賞する毎に表示装置１０に表示される図柄の画像データを記憶しており、表示装置１０は、この画像データを使用して図柄表示を行う。したがって、画像記憶回路１９に記憶させる画像データを変更すれば（あるいは別の画像データを記憶している画像記憶回路１９と交換すれば）、表示装置１０が表示する画像も変更される。
【００２９】
表示装置１０は、電気を消費するので稼働に伴って装置温度が上昇する。その温度上昇を緩和するために、図１に示される放熱孔１２が設けられているのであるが、例えば遊技店の開店から閉店まで稼働し続けると、装置温度がかなり上昇することもある。しかし、この画像記憶回路１９は、表示装置１０の底面１５に取り付けられているので、表示装置１０からの放射は受けるものの対流による熱の伝導はほとんどない。また、底面１５自体が表示装置１０内の対流による温度上昇の影響を受けにくいので、画像記憶回路１９が表示装置１０から及ぼされる熱的な影響はきわめて小さいと言える。よって、画像記憶回路１９の熱による劣化は少なく、それによる故障の発生も防止される。
【００３０】
次に、この表示装置１０の遊技盤３２への着脱について説明する。
まず遊技盤３２に取り付ける場合には、表示装置１０のアタッチメント４０の前面部４２を、図７に示されるような位置で固定プレート７０に押し当てる。そして、表示装置１０全体を、固定プレート７０に沿わせて右係合爪７８ａ〜７８ｄに向かう方向に移動させると、上係合突起５４ａ〜５４ｃは上係合爪７４ａ〜７４ｃの内側に嵌入、係合し、下係合突起５６ａ〜５６ｃは下係合爪７６ａ〜７６ｃの内側に嵌入、係合し、右係合突起５８ａ〜５８ｄは右係合爪７８ａ〜７８ｄの内側に嵌入、係合する。これにより、表示装置１０が遊技盤３２に取り付けられる。
【００３１】
また、表示装置１０を遊技盤３２から取り外すには、前述と逆方向に表示装置１０を水平移動させれば、上係合突起５４ａ〜５４ｃと上係合爪７４ａ〜７４ｃとの係合、下係合突起５６ａ〜５６ｃと下係合爪７６ａ〜７６ｃとの係合、右係合突起５８ａ〜５８ｄと右係合爪７８ａ〜７８ｄとの係合が解除され、表示装置１０を取り外すことができる。
【００３２】
このように、表示装置１０をわずかな距離だけ水平移動させるだけで、遊技盤３２への着脱ができ、ビスの締め付け等の作業は必要としない。着脱ともに簡単な操作で済むから、表示装置１０の保守、修理、交換等の作業がきわめて容易になる。
【００３３】
また、着脱が簡単にできることから、弾球遊技機３０を遊技店内に据え付けてから表示装置１０を取り付けることも可能でる。つまり、弾球遊技機３０本体に比べれば衝撃等に弱い表示装置１０を、比較的乱雑に扱われがちな弾球遊技機３０本体とは別に、耐衝撃性の高い梱包荷姿で慎重に輸送し、遊技店において両者を組み合わせることができる。このようにすれば、輸送中に表示装置１０を破損するおそれはほとんどなくなる。
【００３４】
以上、具体例に従って、本発明の実施の形態について説明したが、本発明はこのような具体例に限定されるものではなく、本発明の要旨を逸脱しない範囲でさまざまに実施できることは言うまでもない。
例えば、具体例では白黒のブラウン管と発色用の液晶盤を組み合わせているが、カラーのブラウン管、カラー液晶、ドラム等の回転体を使用する表示装置でもよい。
【００３５】
【発明の効果】
以上説明したように、請求項１記載の弾球遊技機では、各上係合突起を各上係合爪の嵌入隙間に嵌入させ各下係合突起を各下係合爪の嵌入隙間に嵌入させて、各上係合突起と各上係合爪とを係合させ各下係合突起と各下係合爪とを係合させることで、表示装置が遊技盤の背面側に取り付けられるから、例えば何本ものビスを締めるような作業は不要であり、表示装置の取り付け作業は極めて簡単になる。
【００３６】
この取り付け構造を採用すれば表示装置の取り付けはきわめて容易になるから、弾球遊技機を遊技店内に据え付けてから表示装置を取り付けることも可能になる。つまり、弾球遊技機本体に比べれば衝撃等に弱い表示装置を、比較的乱雑に扱われがちな弾球遊技機本体とは別に、耐衝撃性の高い梱包荷姿で慎重に輸送し、遊技店において両者を組み合わせることができる。このようにすれば、輸送中に表示装置を破損するおそれはほとんどなくなる。これは、特にブラウン管を使用する場合には、破損防止にきわめて有効である。
【００３７】
請求項２記載の弾球遊技機は、係合箇所が表示窓の一側方にも存在し、表示装置の取付がより安定する。
【００３８】
請求項３記載の弾球遊技機は、画像記憶回路が表示装置から及ぼされる熱的な影響はきわめて小さく、画像記憶回路の熱による劣化は少なく、それによる故障の発生も防止される。
【図面の簡単な説明】
【図１】  具体例の表示装置本体の斜視図である。
【図２】  具体例の表示装置の平面図である。
【図３】  具体例の表示装置を遊技盤に装着した状態の側面図である。
【図４】  具体例の表示装置に装備されるアタッチメントの正面図である。
【図５】  具体例の表示装置に装備されるアタッチメントの平面図である。
【図６】  具体例の表示装置に装備されるアタッチメントの側面図である。
【図７】  具体例の表示装置を遊技盤に着脱する際のアタッチメントの前面部と固定プレートとの相対位置の説明図である。
【図８】  具体例の表示装置が取り付けられた弾球遊技機の正面図である。
【符号の説明】
１０・・・表示装置、１２・・・放熱孔、１４・・・筐体、１５・・・底面、１６・・・表示部カバー、１７・・・ブラケット、１８・・・収納体、１９・・・画像記憶回路、２０・・・液晶盤、２２・・・窓、３０・・・弾球遊技機、３２・・・遊技盤、３４・・・表示窓、４０・・・アタッチメント、４２・・・前面部、４４・・・上弾性部、４６・・・下弾性部、４８・・・左弾性部、５０・・・右弾性部、５２・・・窓、５４ａ〜５４ｃ・・・上係合突起（凸部、上突起板）、５６ａ〜５６ｃ・・・下係合突起（凸部、下突起板）、５８ａ〜５８ｄ・・・右係合突起、６０・・・ビス孔、６２・・・ビス孔、７０・・・固定プレート、７２・・・窓、７４ａ〜７４ｃ・・・上係合爪（凹部、上アングル部材）、７６ａ〜７６ｃ・・・下係合爪（凹部、下アングル部材）、７８ａ〜７８ｄ・・・右係合爪、８０・・・サポートプレート。
【図１】
0003965465.tif 000002
【図２】
0003965465.tif 000003
【図３】
0003965465.tif 000004
【図４】
0003965465.tif 000005
【図５】
0003965465.tif 000006
【図６】
0003965465.tif 000007
【図７】
0003965465.tif 000008
【図８】
0003965465.tif 000009